(57)【要約】【課題】不使用時に塵埃等が入りづらく、且つ、使用時に転写ヘッドの転写部が視認しやすいヘッドカバーを備えた塗膜転写具を得る。【解決手段】開口部が形成されたケース本体１と、供給リールから繰り出されて転写ヘッドを経由して巻取リールに巻き取られる転写テープと、２つに分割されたカバー体で構成されてケース本体１に回動可能に取り付けられ、展開状態となって開口部を閉鎖する閉鎖位置と、重畳状態となって開口部を開放する開放位置とに保持されるヘッドカバー４とを備える。ヘッドカバー４は、ケース本体１の先端下部を支点に回動する第１のカバー体４１ａと、転写ヘッドの先端が被覆可能に設けられ、第１のカバー体４１ａの幅方向内側に位置して第１のカバー体４１ａと同一支点で回動する第２のカバー体４２ａとで構成されている。【選択図】図８
2019209588.tif 000002
【特許請求の範囲】
【請求項１】
開口部が形成されたケース本体と、
相互に連動して回転する供給リールおよび巻取リールならびに前記開口部から突出した転写ヘッドを含み、前記ケース本体に収容された収容部材と、
剥離可能な塗膜面が外側になるようにして前記転写ヘッドに掛け回され、前記供給リールから繰り出されて前記転写ヘッドを経由して前記巻取リールに巻き取られる転写テープと、
複数に分割されたカバー体で構成されるとともに少なくとも１つの前記カバー体が前記ケース本体または前記収容部材に回動可能に取り付けられ、展開状態となって前記開口部を閉鎖する閉鎖位置と、重畳状態となって前記開口部を開放する開放位置とに保持されるヘッドカバーと、
を備えたことを特徴とする塗膜転写具。
【請求項２】
前記ヘッドカバーは、
複数の前記カバー体が連動して前記展開状態および前記重畳状態となって前記開口部を開閉する、
ことを特徴とする請求項１記載の塗膜転写具。
【請求項３】
前記ヘッドカバーは、
複数の前記カバー体が、前記ケース本体または前記収容部材の所定位置に回動可能に取り付けられている、
ことを特徴とする請求項１または２記載の塗膜転写具。
【請求項４】
前記ヘッドカバーは、
複数の前記カバー体のうちの何れか１つの前記カバー体が、前記ケース本体または前記収容部材の所定位置に回動可能に取り付けられ、
複数の前記カバー体のうちの他の前記カバー体が、前記ケース本体または前記収容部材に取り付けられた前記カバー体の所定位置に回動可能に取り付けられている、
ことを特徴とする請求項１または２記載の塗膜転写具。
【請求項５】
前記ヘッドカバーは、
複数の前記カバー体のうちの何れか１つの前記カバー体が、前記ケース本体または前記収容部材の所定位置に回動可能に取り付けられ、
複数の前記カバー体のうちの他の前記カバー体が、前記ケース本体または前記収容部材に取り付けられた前記カバー体に摺動可能に取り付けられている、
ことを特徴とする請求項１または２記載の塗膜転写具。
【請求項６】
前記ヘッドカバーは、
前記ケース本体または前記収容部材の所定位置を支点に回動する第１のカバー体と、
前記転写ヘッドの先端が被覆可能に設けられ、前記第１のカバー体の幅方向内側に位置して当該第１のカバー体と同一の支点で回動する第２のカバー体とで構成されている、
ことを特徴とする請求項１〜３の何れか一項に記載の塗膜転写具。
【発明の詳細な説明】
【技術分野】
【０００１】
本発明は、転写テープに塗布された塗膜を被転写体に転写する塗膜転写具に関するものである。
【背景技術】
【０００２】
例えば紙面に書かれた文字などに修正用の塗膜を転写するためのツールとして、あるいは、例えば紙面に糊状の塗膜を転写するためのツールとして、塗膜転写具が知られている。
【０００３】
この塗膜転写具は、相互に連動して回転する供給リールと巻取リールとがケース内に収容され、２つの端部が供給リールと巻取リールとにそれぞれ固定された転写テープがケースの先端に形成された開口部から突出して取り付けられた転写ヘッドに掛け回された構造となっている。
【０００４】
そして、使用時においては、ケースを把持して転写ヘッドを用紙などの被転写体に押し付けながら当該被転写体に沿って移動させることにより、供給リールから繰り出された転写テープに塗布された塗膜が被転写体に転写され、塗膜のなくなった転写後の転写テープが巻取リールに巻き取られるようになっている。
【０００５】
ここで、塗膜転写具を使用しないときに転写ヘッドに掛け回された転写テープの未使用部分の塗膜を保護するため、ヘッドカバーをケースに回動可能に取り付けることが一般的となっている。
【０００６】
特許文献１（特開２００５−１９３４１０号公報）には、ヘッドカバーをケースの下側（特許文献１では、カートリッジ）に回動可能に取り付ける技術が開示されている。
【０００７】
さらに、特許文献２（特開２０１６−１５０４７８号公報）には、ヘッドカバーをケースに対してスライド可能に設けて開閉する技術が開示されている。
【先行技術文献】
【特許文献】
【０００８】
【特許文献１】特開２００５−１９３４１０号公報
【特許文献２】特開２０１６−１５０４７８号公報
【発明の概要】
【発明が解決しようとする課題】
【０００９】
しかしながら、特許文献１に記載の技術では、不使用時に未転写部の塗膜は保護できるものの、ケースとヘッドカバーとの隙間が大きいために、隙間から塵埃等が入ってしまうという問題がある。
【００１０】
塵埃等が入らないようにするためには、ケース開口部を十分に覆うようにヘッドカバーを延ばすことが考えられるが、このようにすると、使用時（つまり、ヘッドカバーを開けたとき）にヘッドカバーが邪魔になって使いづらくなる。
【００１１】
また、塵埃等が入らないようにするためには、ヘッドカバーを延ばさずにケースを延ばすことも考えられるが、このようにすると、ケースがたとえ透明部品であったとしても、使用時に転写ヘッドの転写部の視認性が悪くなるという問題がある。
【００１２】
また、特許文献２に記載の技術でも、移動したヘッドカバーがケース上面に位置することになるので、やはりヘッドカバーのために転写ヘッドの転写部が見えにくくなる。また、スライダでヘッドカバーを移動させて開閉する構造であることから、使い方がユーザに直感的に理解できない場合が考えられる。
【００１３】
本発明は、上述の技術的背景からなされたものであって、不使用時に塵埃等が入りづらく、且つ、使用時に転写ヘッドの転写部が視認しやすいヘッドカバーを備えた塗膜転写具を提供することを目的とする。
【課題を解決するための手段】
【００１４】
上記課題を解決するため、請求項１に記載の本発明の塗膜転写具は、開口部が形成されたケース本体と、相互に連動して回転する供給リールおよび巻取リールならびに前記開口部から突出した転写ヘッドを含み、前記ケース本体に収容された収容部材と、剥離可能な塗膜面が外側になるようにして前記転写ヘッドに掛け回され、前記供給リールから繰り出されて前記転写ヘッドを経由して前記巻取リールに巻き取られる転写テープと、複数に分割されたカバー体で構成されるとともに少なくとも１つの前記カバー体が前記ケース本体または前記収容部材に回動可能に取り付けられ、展開状態となって前記開口部を閉鎖する閉鎖位置と、重畳状態となって前記開口部を開放する開放位置とに保持されるヘッドカバーと、を備えたことを特徴とする。
【００１５】
請求項２に記載の塗膜転写具は、上記請求項１に記載の発明において、前記ヘッドカバーは、複数の前記カバー体が連動して前記展開状態および前記重畳状態となって前記開口部を開閉する、ことを特徴とする。
【００１６】
請求項３に記載の塗膜転写具は、上記請求項１または２に記載の発明において、前記ヘッドカバーは、複数の前記カバー体が、前記ケース本体または前記収容部材の所定位置に回動可能に取り付けられている、ことを特徴とする。
【００１７】
請求項４に記載の塗膜転写具は、上記請求項１または２に記載の発明において、前記ヘッドカバーは、複数の前記カバー体のうちの何れか１つの前記カバー体が、前記ケース本体または前記収容部材の所定位置に回動可能に取り付けられ、複数の前記カバー体のうちの他の前記カバー体が、前記ケース本体または前記収容部材に取り付けられた前記カバー体の所定位置に回動可能に取り付けられている、ことを特徴とする。
【００１８】
請求項５に記載の塗膜転写具は、上記請求項１または２に記載の発明において、前記ヘッドカバーは、複数の前記カバー体のうちの何れか１つの前記カバー体が、前記ケース本体または前記収容部材の所定位置に回動可能に取り付けられ、複数の前記カバー体のうちの他の前記カバー体が、前記ケース本体または前記収容部材に取り付けられた前記カバー体に摺動可能に取り付けられている、ことを特徴とする。
【００１９】
請求項６に記載の塗膜転写具は、上記請求項１〜３の何れか一項に記載の発明において、  前記ヘッドカバーは、前記ケース本体または前記収容部材の所定位置を支点に回動する第１のカバー体と、前記転写ヘッドの先端が被覆可能に設けられ、前記第１のカバー体の幅方向内側に位置して当該第１のカバー体と同一の支点で回動する第２のカバー体とで構成されている、ことを特徴とする。
【発明の効果】
【００２０】
ヘッドカバーを閉鎖位置にした場合には、ヘッドカバーの構成要素である複数に分割されたカバー体が展開状態となってケース等との隙間を少なくできるので、塵埃が入りづらくなる。
【００２１】
また、ヘッドカバーを開放位置にした使用時には、カバー体が重畳状態となるので、ケース本体からのヘッドカバーの張出寸法は、分割されていないヘッドカバーと比較して小さくなる。これにより、使用時においてヘッドカバーが邪魔にならなくなり、転写ヘッドの転写部が視認しやすくなる。
【図面の簡単な説明】
【００２２】
【図１】本発明の一実施の形態に係る塗膜転写具についてヘッドカバーを閉鎖位置にして示す斜視図である。
【図２】図１の塗膜転写具の先端部を示す斜視図である。
【図３】本発明の一実施の形態に係る塗膜転写具についてヘッドカバーを開放位置にして示す斜視図である。
【図４】図３の塗膜転写具の先端部を示す斜視図である。
【図５】本発明の一実施の形態に係る塗膜転写具を前方から見たときの先端部の分解斜視図である。
【図６】図５のＡ部の拡大図である。
【図７】本発明の一実施の形態に係る塗膜転写具を後方から見たときの先端部の分解斜視図である。
【図８】（ａ）〜（ｅ）は本発明の一実施の形態に係る塗膜転写具のヘッドカバーが閉鎖位置から開放位置へ回動した後に閉鎖位置へ回動を始めるまでの動きを連続的に示す断面図である。
【図９】本発明の一実施の形態に係る塗膜転写具においてヘッドカバーが閉鎖位置にあるときの正面図である。
【図１０】図９のＢ−Ｂ線に沿った断面図である。
【図１１】図１０のＣ部の拡大図である。
【図１２】本発明の一実施の形態に係る塗膜転写具においてヘッドカバーが閉鎖位置にあるときの平面図である。
【図１３】図１２のＤ−Ｄ線に沿った断面図である。
【図１４】図１３のＥ部の拡大図である。
【図１５】図１３のＦ部の拡大図である。
【図１６】本発明の一実施の形態に係る塗膜転写具においてヘッドカバーが開放位置にあるときの平面図である。
【図１７】図１６のＧ−Ｇ線に沿った断面図である。
【図１８】図１７のＨ部の拡大図である。
【図１９】図１７のＩ部の拡大図である。
【図２０】第１の変形例としてのヘッドカバーを前方から示す斜視図である。
【図２１】第１の変形例としてのヘッドカバーを後方から示す斜視図である。
【図２２】展開状態となった第１の変形例のヘッドカバーを示す説明図である。
【図２３】重畳状態となった第１の変形例のヘッドカバーを示す説明図である。
【図２４】第２の変形例としてのヘッドカバーを前方から示す斜視図である。
【図２５】第２の変形例としてのヘッドカバーを後方から示す斜視図である。
【図２６】展開状態となった第２の変形例のヘッドカバーを示す説明図である。
【図２７】重畳状態となった第２の変形例のヘッドカバーを示す説明図である。
【図２８】第３の変形例としてのヘッドカバーを前方から示す斜視図である。
【図２９】第３の変形例としてのヘッドカバーを後方から示す斜視図である。
【図３０】展開状態となった第３の変形例のヘッドカバーを示す説明図である。
【図３１】重畳状態となった第３の変形例のヘッドカバーを示す説明図である。
【図３２】第４の変形例としてのヘッドカバーを前方から示す斜視図である。
【図３３】第４の変形例としてのヘッドカバーを後方から示す斜視図である。
【図３４】展開状態となった第４の変形例のヘッドカバーを示す説明図である。
【図３５】重畳状態となった第４の変形例のヘッドカバーを示す説明図である。
【図３６】第５の変形例としてのヘッドカバーを前方から示す斜視図である。
【図３７】第５の変形例としてのヘッドカバーを後方から示す斜視図である。
【図３８】展開状態となった第５の変形例のヘッドカバーを示す説明図である。
【図３９】重畳状態となった第５の変形例のヘッドカバーを示す説明図である。
【図４０】第６の変形例としてのヘッドカバーを前方から示す斜視図である。
【図４１】第６の変形例としてのヘッドカバーを後方から示す斜視図である。
【図４２】展開状態となった第６の変形例のヘッドカバーを示す説明図である。
【図４３】重畳状態となった第６の変形例のヘッドカバーを示す説明図である。
【図４４】第７の変形例としてのヘッドカバーを前方から示す斜視図である。
【図４５】第７の変形例としてのヘッドカバーを後方から示す斜視図である。
【図４６】展開状態となった第７の変形例のヘッドカバーを示す説明図である。
【図４７】重畳状態となった第７の変形例のヘッドカバーを示す説明図である。
【図４８】第８の変形例としてのヘッドカバーを前方から示す斜視図である。
【図４９】第８の変形例としてのヘッドカバーを後方から示す斜視図である。
【図５０】展開状態となった第８の変形例のヘッドカバーを示す説明図である。
【図５１】重畳状態となった第８の変形例のヘッドカバーを示す説明図である。
【図５２】第９の変形例としてのヘッドカバーを前方から示す斜視図である。
【図５３】第９の変形例としてのヘッドカバーを後方から示す斜視図である。
【図５４】展開状態となった第９の変形例のヘッドカバーを示す説明図である。
【図５５】重畳状態となった第９の変形例のヘッドカバーを示す説明図である。
【発明を実施するための形態】
【００２３】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２４】
図１は本発明の一実施の形態に係る塗膜転写具についてヘッドカバーを閉鎖位置にして示す斜視図、図２は図１の塗膜転写具の先端部を示す斜視図、図３は本発明の一実施の形態に係る塗膜転写具についてヘッドカバーを開放位置にして示す斜視図、図４は図３の塗膜転写具の先端部を示す斜視図、図５は本発明の一実施の形態に係る塗膜転写具を前方から見たときの先端部の分解斜視図、図６は図５のＡ部の拡大図、図７は本発明の一実施の形態に係る塗膜転写具を後方から見たときの先端部の分解斜視図である。
【００２５】
本発明の一実施の形態である塗膜転写具は、修正用の塗膜や糊状の塗膜などが塗布された転写テープを紙面に転写するために用いられるものであり、図１および図３に示すように、長さ方向に沿って縦に２分割され、図示しない嵌合機構で相互に嵌まり合って一体化し、内部空間を有するケース本体１を形成する第１のケース部１１および第２のケース部１２を有している。
【００２６】
図３〜図７に示すように、ケース本体１の先端には開口部２が形成されており、この開口部２から突出するようにして転写ヘッド（収容部材の一部）３が取り付けられている。
【００２７】
図示は省略するが、ケース本体１内には供給リール（収容部材の一部）と巻取リール（収容部材の一部）とが収容されている。これら供給リールおよび巻取リールは、ギアやベルトなどを介して相互に結合されており、互いに連動して回転するようになっている。供給リールおよび巻取リールには転写テープ（図示せず）のそれぞれの端部が巻き付けられており、修正用や糊状の剥離可能な塗膜面が外側になるようにして供給リールから繰り出され、巻取リールに巻き取られるようになっている。また、供給リールから繰り出された転写テープは転写ヘッド３に掛け回されており、転写ヘッド３を経由して巻取リールに巻き取られる。
【００２８】
なお、本実施の形態においては、収容部材の図示については、煩雑化を回避するために省略されている。
【００２９】
ケース本体１の先端に形成された開口部２から突出した転写ヘッド３は、転写テープが掛け回された円筒状のヘッド本体部３ａと、ヘッド本体部３ａの両側において相互に対向して設けられてヘッド本体部３ａを支持するとともに転写テープの走行をガイドする一対のガイド片３ｂとを備えている。
【００３０】
ヘッド本体部３ａの先端はガイド片３ｂから僅かに突出しており、転写ヘッド３を用紙などの被転写体に押し付けて塗膜を転写する際に、転写テープの掛け回されたヘッド本体部３ａが確実に被転写体に押し当てられるようになっている。ガイド片３ｂは、転写テープの幅方向の自由な動きを規制するものであり、このガイド片３ｂによって、塗膜を転写する転写テープはヘッド本体部３ａから逸脱することなく走行するようになる。
【００３１】
図１〜図７に示すように、ケース本体１の先端に形成された開口部２には、当該開口部２を開閉するヘッドカバー４がケース本体１に回動可能に取り付けられている。本実施の形態のヘッドカバー４は、第１のカバー体４１ａと、当該第１のカバー体４１ａの幅方向内側に位置して、転写ヘッド３の先端が被覆可能になった第２のカバー体４２ａとの２つのカバー体に分割されている。
【００３２】
そして、これらの図面に示すように、第１のカバー体４１ａと第２のカバー体４２ａとが相互に展開した状態(展開状態)となってヘッドカバー４が開口部２を閉鎖する閉鎖位置（図１、図２）となり、第１のカバー体４１ａと第２のカバー体４２ａとが相互に重畳した状態（重畳状態）となってヘッドカバー４が開口部２を開放する開放位置（図３、図４）となる。
【００３３】
なお、本願において「閉鎖位置」とは、ヘッドカバー４と開口部２との間に隙間が殆どなくなる程度にヘッドカバー４が開口部２を閉鎖する位置を意味するものではなく、塵埃等がケース本体１の内部に入りづらくなる程度にヘッドカバー４が開口部２を閉鎖する位置を意味する。
【００３４】
ここで、ケース本体１の先端下部には、当該ケース本体１の幅方向に延びた略円筒状の一対のカバー軸支部１ａが対向して形成されている。これらのカバー軸支部１ａの外側には第１の軸穴１ａｂが、内側には第２の軸穴１ａｃが、それぞれ形成されている。そして、第１のカバー体４１ａに相互に内側を向けて形成された２箇所の軸突起４１ａｂが第１の軸穴１ａｂに嵌め込まれて回動可能になっており、第２のカバー体４２ａに相互に外側を向けて形成された軸突起４２ａｂが第２の軸穴１ａｃに嵌め込まれて回動可能になっている。したがって、第１のカバー体４１ａと第２のカバー体４２ａとは、相互に同一の支点で回動する。
【００３５】
なお、以下に説明する場合を含めて、同一の支点とは、支点を構成する部品が同一であるという意味ではなく、回動する支点（回動軸）が同一であるという意味である。
【００３６】
第１のカバー体４１ａの内側には、閉鎖位置のときにケース本体１の開口部２の縁部に形成されたケース側凸部１ｂを乗り越えるカバー側凸部４１ａｃが形成されている。また、第１のカバー体４１ａの軸突起４１ａｂの近傍には、開放位置のときにカバー軸支部１ａの外周に形成された係止突起１ａｄを挟み込むように弾性変形して当該係止突起１ａｄに係止される係止部４１ａｄが形成されている。したがって、第１のカバー体４１ａは、カバー側凸部４１ａｃがケース側凸部１ｂを乗り越えて閉鎖位置で保持され（後述する図９〜図１１参照）、係止部４１ａｄが係止突起１ａｄに係止されて開放位置で保持される（後述する図１６〜図１８参照）。
【００３７】
なお、第１のカバー体４１ａの上部には突起部４１ａｅが形成されている。そして、第１のカバー体４１ａが閉鎖位置にあるときに当該突起部４１ａｅを前方へ押すようにすれば、第１のカバー体４１ａを容易に開放位置へと回動させことができる。
【００３８】
第２のカバー体４２ａにおける閉鎖位置での第１のカバー体４１ａと重なり合う部位には、係合片４２ａｃが外側に向けて形成されている。一方、第１のカバー体４１ａにおける閉鎖位置での第２のカバー体４２ａと重なり合う部位には、第１のカバー体４１ａが閉鎖位置に向かう際に係合片４２ａｃと係合することで、第２のカバー体４２ａを連動して閉鎖位置へと回動させる係合片４１ａｆが内側に向けて形成されている。また、第２のカバー体４２ａの軸突起４２ａｂの近傍には、閉鎖位置のときにケース本体１の開口部２の縁部に当接するストッパ４２ａｄが形成されている。
【００３９】
したがって、第２のカバー体４２ａは、係合片４２ａｃとストッパ４２ａｄとによって回動が規制されて閉鎖位置で保持される（後述する図１２〜図１５参照）。そして、このとき第１のカバー体４１ａと第２のカバー体４２ａとは、互いに重なり合う部分が相対的に少ない状態、つまり展開状態となっている。
【００４０】
さらに、前述した第１のカバー体４１ａのカバー側凸部４１ａｃの近傍には、当該第１のカバー体４１ａが開放位置に向かう際に第２のカバー体４２ａの縁部に当接して第２のカバー体４２ａを連動して開放位置へと回動させる突起４１ａｇが形成されている。また、第２のカバー体４２ａは、転写ヘッド３の先端を被覆する部位が開放位置においてケース本体１に当接するようになっている。
【００４１】
したがって、第２のカバー体４２ａは、第１のカバー体４１ａの突起４１ａｇにより当該第１のカバー体４１ａとともに回動してケース本体１に当接することによって回動が規制されて開放位置で保持される（後述する図１６、図１７、図１９参照）。そして、このとき第１のカバー体４１ａと第２のカバー体４２ａとは、互いに重なり合う部分が相対的に多い状態、つまり重畳状態となっている。
【００４２】
なお、本実施の形態の場合には、重畳状態において、第２のカバー体４２ａの一部が第１のカバー体４１ａから外にはみ出ているが、全部が隠れるようになっていてもよい。但し、重畳状態では、第１のカバー体４１ａと第２のカバー体４２ａとが過不足なく重なり合うようになっていれば、ヘッドカバー４が最もコンパクトに畳まれることになるので望ましい。
【００４３】
次に、以上の構成を有する本実施の形態の塗膜転写具において、ヘッドカバー４が開口部２を閉鎖する閉鎖位置から開口部２を開放する開放位置へと回動する際の動きについて、図８〜図１９を用いて説明する。
【００４４】
ここで、図８（ａ）〜（ｅ）は本実施の形態に係る塗膜転写具のヘッドカバーが閉鎖位置から開放位置へ回動した後に閉鎖位置へ回動を始めるまでの動きを連続的に示す説明図、図９は本実施の形態に係る塗膜転写具においてヘッドカバーが閉鎖位置にあるときの正面図、図１０は図９のＢ−Ｂ線に沿った断面図、図１１は図１０のＣ部の拡大図、図１２は本実施の形態に係る塗膜転写具においてヘッドカバーが閉鎖位置にあるときの平面図、図１３は図１２のＤ−Ｄ線に沿った断面図、図１４は図１３のＥ部の拡大図、図１５は図１３のＦ部の拡大図、図１６は本実施の形態に係る塗膜転写具においてヘッドカバーが開放位置にあるときの平面図、図１７は図１６のＧ−Ｇ線に沿った断面図、図１８は図１７のＨ部の拡大図、図１９は図１７のＩ部の拡大図である。
【００４５】
図８（ａ）に示すヘッドカバー４の閉鎖位置（つまり、転写ヘッド３がヘッドカバー４で覆われている位置）では、第１のカバー体４１ａは、図９〜図１１に示すように、カバー側凸部４１ａｃがケース本体１に形成されたケース側凸部１ｂを乗り越えて閉鎖位置で保持されている。また、第２のカバー体４２ａは、図１２〜図１４に示すように、係合片４２ａｃが第１のカバー体４１ａに形成された係合片４１ａｆと係合し、図１２、図１３および図１５に示すように、ストッパ４２ａｄがケース本体１の開口部２の縁部に当接することにより回動が規制され、閉鎖位置で保持されている。そして、図示するように、閉鎖位置では、第１のカバー体４１ａと第２のカバー体４２ａとの重なり合う部分が相対的に少ない展開状態となっている。
【００４６】
そして、このようにヘッドカバー４を閉鎖位置にした場合には、ヘッドカバー４が展開状態となってケース本体１との隙間を少なくできるので、塵埃が入りづらくなっている。
【００４７】
図８（ａ）に示す閉鎖位置において、第１のカバー体４１ａに形成された突起部４１ａｅを前方へ押すと、当該第１のカバー体４１ａは、ケース側凸部１ｂによる保持が解除されて開放位置に向けて回動を開始する。
【００４８】
そして、回動する第１のカバー体４１ａに形成された突起４１ａｇが第２のカバー体４２ａの縁部に当接すると、図８（ｂ）に示すように、第１のカバー体４１ａは第２のカバー体４２ａを伴って開放位置へと回動する。
【００４９】
その後、図８（ｃ）に示す状態を経て、図８（ｄ）に示すヘッドカバー４の開放位置（つまり、転写ヘッド３がヘッドカバー４で覆われていない位置、換言すれば塗膜転写具を使用する位置）では、第１のカバー体４１ａは、図１６〜図１８に示すように、係止部４１ａｄがケース本体１のカバー軸支部１ａに形成された係止突起１ａｄに係止されて開放位置で保持される。また、第２のカバー体４２ａは、第１のカバー体４１ａの突起４１ａｇによりケース本体１に当接して回動が規制され、開放位置で保持される。そして、図示するように、開放位置では、第１のカバー体４１ａと第２のカバー体４２ａとの重なり合う部分が相対的に多い重畳状態となっている。
【００５０】
そして、ヘッドカバー４が開放位置になったときに転写ヘッド３が開口部２から露出されるので、使用者は、塗膜転写具を把持して転写ヘッド３を紙面に押し付けて所定の作業を行うことができる。
【００５１】
ここで、開放位置においては、ヘッドカバー４を構成している分割された２つのカバー体、つまり第１のカバー体４１ａおよび第２のカバー体４２ａは、前述のように、重なり合う部分が相対的に多い重畳状態となる。したがって、開放位置で保持されているヘッドカバー４におけるケース本体１から下方への張出寸法は、分割されていないヘッドカバーと比較して約半分になる。
【００５２】
よって、不使用時におけるヘッドカバー４による開口部２のカバー性能を維持しつつ、使用時においてはヘッドカバー４が邪魔にならなくなり、ケース本体１を立て気味の不自然な姿勢にしなくてもヘッドカバー４が紙面と干渉しにくくなる。また、ケース本体１を立て気味にする必要がなくなることから、転写ヘッド３の転写部が視認しやすくなる。
【００５３】
また、ヘッドカバー４を分割しただけの部品点数の増加にとどまるので、最小の部品点数の増加の下で、簡便な操作性を実現することができる。
【００５４】
なお、ヘッドカバー４を開放位置から閉鎖位置に戻すときには、図８（ｅ）に示すように、第１のカバー体４１ａを回動させる。これにより、係合片４１ａｆが第２のカバー体４２ａの係合片４２ａｃと係合し、第１のカバー体４１ａは第２のカバー体４２ａを伴って閉鎖位置へと回動する。
【００５５】
さて、以上に説明した塗膜転写具のヘッドカバー４は、第１のカバー体４１ａと第２のカバー体４２ａが同一の回動支点となってケース本体１の先端下部に取り付けられ、また、第２のカバー体４２ａは転写ヘッド３の先端が被覆可能になって第１のカバー体４１ａの幅方向内側に位置している。
【００５６】
しかしながら、ヘッドカバー４はこのような構成に限定されるものではなく、展開状態となって開口部２を閉鎖する閉鎖位置と、重畳状態となって開口部２を開放する開放位置とに回動可能になっていれば、様々な態様を採用することができる。
【００５７】
そこで、以下において、ヘッドカバー４における様々な態様の一例として、第１〜第９の変形例について説明する。
【００５８】
なお、第１〜第９の変形例を示す図面においてはヘッドカバー４のみが示されており、ヘッドカバー４が取り付けられるケース本体１などについては図示が省略されている。また、ケース本体１に対するヘッドカバー４の保持機構や取付機構の詳細、およびカバー体相互の連動機構の詳細などについても図示が省略されている。
【００５９】
（第１の変形例）
【００６０】
図２０は第１の変形例としてのヘッドカバーを前方から示す斜視図、図２１は第１の変形例としてのヘッドカバーを後方から示す斜視図、図２２は展開状態となった第１の変形例のヘッドカバーを示す説明図、図２３は重畳状態となった第１の変形例のヘッドカバーを示す説明図である。
【００６１】
第１の変形例でのヘッドカバー４は、転写ヘッド３の先端が被覆可能になった第１のカバー体４１ｂと、第１のカバー体４１ｂの幅方向内側に位置する第２のカバー体４２ｂとで構成されている。
【００６２】
そして、これら第１のカバー体４１ｂおよび第２のカバー体４２ｂはケース本体１の先端下部に取り付けられており、当該部位を支点にして、つまり同一の支点Ｐで回動する。したがって、図２３に示すように、重畳状態では、転写ヘッド３の先端を被覆する第１のカバー体４１ｂの中に第２のカバー体４２ｂが入り込むようになる。
【００６３】
このように、転写ヘッド３の先端を被覆するカバー体である第１のカバー体４１ｂの方が、被覆しない第２のカバー体４２ｂよりも幅方向の外側になる構成としてもよい。
【００６４】
（第２の変形例）
【００６５】
図２４は第２の変形例としてのヘッドカバーを前方から示す斜視図、図２５は第２の変形例としてのヘッドカバーを後方から示す斜視図、図２６は展開状態となった第２の変形例のヘッドカバーを示す説明図、図２７は重畳状態となった第２の変形例のヘッドカバーを示す説明図である。
【００６６】
第２の変形例でのヘッドカバー４は、転写ヘッド３の先端が被覆可能になってケース本体１の先端下部に取り付けられ、当該部位を支点Ｐにして回動する第１のカバー体４１ｃと、第１のカバー体４１ｃの幅方向外側に位置する第２のカバー体４２ｃとで構成されている。
【００６７】
そして、図示するように、第２のカバー体４２ｃは第１のカバー体４１ｃの所定位置（ここでは第１のカバー体４１ｃの開口部の両側）を支点Ｐｃに回動可能になっている。
【００６８】
このように、一方のカバー体（ここでは、第１のカバー体４１ｃ）だけがケース本体１に回動可能に取り付けられ、他方のカバー体（ここでは、第２のカバー体４２ｃ）は一方のカバー体に回動可能に取り付けられていてもよい。つまり、全てのカバー体がケース本体１に回動可能に取り付けられていなくてもよい。
【００６９】
（第３の変形例）
【００７０】
図２８は第３の変形例としてのヘッドカバーを前方から示す斜視図、図２９は第３の変形例としてのヘッドカバーを後方から示す斜視図、図３０は展開状態となった第３の変形例のヘッドカバーを示す説明図、図３１は重畳状態となった第３の変形例のヘッドカバーを示す説明図である。
【００７１】
第３の変形例でのヘッドカバー４は、ケース本体１の先端下部に取り付けられ、当該部位を支点Ｐにして回動する第１のカバー体４１ｄと、転写ヘッド３の先端が被覆可能になって第１のカバー体４１ｄの幅方向内側に位置する第２のカバー体４２ｄとで構成されている。
【００７２】
そして、図示するように、第２のカバー体４２ｄは第１のカバー体４１ｄの所定位置（ここでは第１のカバー体４１ｄの一方の開口部の両側）を支点Ｐｄに回動可能になっている。
【００７３】
このように、一方のカバー体（ここでは、第１のカバー体４１ｄ）がケース本体１に回動可能に取り付けられ、他方のカバー体（ここでは、第２のカバー体４２ｄ）が一方のカバー体に回動可能に取り付けられた場合において、第２の変形例とは逆に、ケース本体１に取り付けられていない方のカバー体（ここでは、第２のカバー体４２ｄ）が転写ヘッド３の先端を被覆するようになっていてもよい。
【００７４】
（第４の変形例）
【００７５】
図３２は第４の変形例としてのヘッドカバーを前方から示す斜視図、図３３は第４の変形例としてのヘッドカバーを後方から示す斜視図、図３４は展開状態となった第４の変形例のヘッドカバーを示す説明図、図３５は重畳状態となった第４の変形例のヘッドカバーを示す説明図である。
【００７６】
第４の変形例でのヘッドカバー４では、第２のカバー体４２ｅが第１のカバー体４１ｅの幅方向内側に位置している点が、前述した第２の変形例でのヘッドカバー４と異なっている。
【００７７】
すなわち、本変形例のヘッドカバー４は、第１のカバー体４１ｅが、転写ヘッド３の先端が被覆可能になってケース本体１の先端下部に取り付けられ、当該部位を支点Ｐにして回動するようになっている。また、第２のカバー体４２ｅは、この第１のカバー体４１ｅの幅方向内側に位置している。
【００７８】
そして、第２のカバー体４２ｅは第１のカバー体４１ｅの所定位置（ここでは第１のカバー体４１ｅの開口部の両側）を支点Ｐｅに回動可能になっている。
【００７９】
このように、第２のカバー体４２ｅの方が第１のカバー体４１ｅの幅方向内側になっていてもよい。
【００８０】
（第５の変形例）
【００８１】
図３６は第５の変形例としてのヘッドカバーを前方から示す斜視図、図３７は第５の変形例としてのヘッドカバーを後方から示す斜視図、図３８は展開状態となった第５の変形例のヘッドカバーを示す説明図、図３９は重畳状態となった第５の変形例のヘッドカバーを示す説明図である。
【００８２】
第５の変形例でのヘッドカバー４では、第２のカバー体４２ｆが第１のカバー体４１ｆの幅方向外側に位置している点が、前述した第３の変形例でのヘッドカバー４と異なっている。
【００８３】
すなわち、本変形例のヘッドカバー４は、第１のカバー体４１ｆが、ケース本体１の先端下部に取り付けられ、当該部位を支点Ｐにして回動するようになっている。また、第２のカバー体４２ｆは、転写ヘッド３の先端が被覆可能になって第１のカバー体４１ｆの幅方向外側に位置している。
【００８４】
そして、第２のカバー体４２ｆは第１のカバー体４１ｆの所定位置（ここでは第１のカバー体４１ｆの一方の開口部の両側）を支点Ｐｆに回動可能になっている。
【００８５】
このように、第２のカバー体４２ｆの方が第１のカバー体４１ｆの幅方向外側になっていてもよい。
【００８６】
（第６の変形例）
【００８７】
図４０は第６の変形例としてのヘッドカバーを前方から示す斜視図、図４１は第６の変形例としてのヘッドカバーを後方から示す斜視図、図４２は展開状態となった第６の変形例のヘッドカバーを示す説明図、図４３は重畳状態となった第６の変形例のヘッドカバーを示す説明図である。
【００８８】
第２〜第５の変形例において説明したヘッドカバー４では、ケース本体１に回動可能に取り付けられた一方のカバー体に取り付けられた他方のカバー体は、一方のカバー体に対して回動可能になっていた。しかしながら、他方のカバー体は一方のカバー体に対して、回動以外の態様で移動可能になっており、これにより展開状態と重畳状態とになって開口部２を開閉できるようになっていればよい。
【００８９】
第６〜第９の変形例では、回動以外の移動の一例として、摺動可能になっている場合が示されている。
【００９０】
すなわち、第６の変形例でのヘッドカバー４では、転写ヘッド３の先端が被覆可能になってケース本体１の先端下部に取り付けられ、当該部位を支点Ｐにして回動する第１のカバー体４１ｇと、第１のカバー体４１ｇの幅方向外側に位置する第２のカバー体４２ｇとで構成されている。
【００９１】
そして、図示するように、第２のカバー体４２ｇは第１のカバー体４１ｇに摺動可能に取り付けられている。
【００９２】
このように、摺動する第２のカバー体４２ｇを備えた第６の変形例でのヘッドカバー４でも、展開状態（図４２）と重畳状態（図４３）とになって開口部２を開閉することができる。
【００９３】
（第７の変形例）
【００９４】
図４４は第７の変形例としてのヘッドカバーを前方から示す斜視図、図４５は第７の変形例としてのヘッドカバーを後方から示す斜視図、図４６は展開状態となった第７の変形例のヘッドカバーを示す説明図、図４７は重畳状態となった第７の変形例のヘッドカバーを示す説明図である。
【００９５】
第７の変形例でのヘッドカバー４では、ケース本体１の先端下部に取り付けられ、当該部位を支点Ｐにして回動する第１のカバー体４１ｈと、転写ヘッド３の先端が被覆可能になって第１のカバー体４１ｈの幅方向内側に位置する第２のカバー体４２ｈとで構成されている。
【００９６】
そして、図示するように、第２のカバー体４２ｈは第１のカバー体４１ｈに対して摺動可能に取り付けられている。
【００９７】
一方のカバー体（ここでは、第１のカバー体４１ｈ）がケース本体１に回動可能に取り付けられ、他方のカバー体（ここでは、第２のカバー体４２ｈ）が一方のカバー体に摺動可能に取り付けられた場合において、第６の変形例とは逆に、ケース本体１に取り付けられていない方のカバー体（ここでは、第２のカバー体４２ｈ）が転写ヘッド３の先端を被覆するようになっていてもよい。
【００９８】
（第８の変形例）
【００９９】
図４８は第８の変形例としてのヘッドカバーを前方から示す斜視図、図４９は第８の変形例としてのヘッドカバーを後方から示す斜視図、図５０は展開状態となった第８の変形例のヘッドカバーを示す説明図、図５１は重畳状態となった第８の変形例のヘッドカバーを示す説明図である。
【０１００】
第８の変形例でのヘッドカバー４では、第２のカバー体４２ｉが第１のカバー体４１ｉの幅方向内側に位置している点が、前述した第６の変形例でのヘッドカバー４と異なっている。
【０１０１】
すなわち、本変形例のヘッドカバー４は、第１のカバー体４１ｉが、転写ヘッド３の先端が被覆可能になってケース本体１の先端下部に取り付けられ、当該部位を支点Ｐにして回動するようになっている。また、第２のカバー体４２ｉは、この第１のカバー体４１ｉの幅方向内側に位置している。
【０１０２】
そして、第２のカバー体４２ｉは第１のカバー体４１ｉに対して摺動可能に取り付けられている。
【０１０３】
このように、第２のカバー体４２ｉの方が第１のカバー体４１ｉの幅方向内側になっていてもよい。
【０１０４】
（第９の変形例）
【０１０５】
図５２は第９の変形例としてのヘッドカバーを前方から示す斜視図、図５３は第９の変形例としてのヘッドカバーを後方から示す斜視図、図５４は展開状態となった第９の変形例のヘッドカバーを示す説明図、図５５は重畳状態となった第９の変形例のヘッドカバーを示す説明図である。
【０１０６】
第９の変形例でのヘッドカバー４では、第２のカバー体４２ｊが第１のカバー体４１ｊの幅方向外側に位置している点が、前述した第７の変形例でのヘッドカバー４と異なっている。
【０１０７】
すなわち、本変形例のヘッドカバー４は、第１のカバー体４１ｊが、ケース本体１の先端下部に取り付けられ、当該部位を支点Ｐにして回動するようになっている。また、第２のカバー体４２ｊは、転写ヘッド３の先端が被覆可能になって第１のカバー体４１ｊの幅方向外側に位置している。
【０１０８】
そして、第２のカバー体４２ｊは第１のカバー体４１ｊに対して摺動可能に取り付けられている。
【０１０９】
このように、第２のカバー体４２ｊの方が第１のカバー体４１ｊの幅方向外側になっていてもよい。
【０１１０】
以上本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１１１】
たとえば、以上説明した実施の形態においては、ヘッドカバー４は２つに分割されて第１のカバー体と第２のカバー体とで構成されているが、複数に分割されていれば足り、３つ以上に分割されていてもよい。但し、３つ以上に分割されていると、機構が複雑化することに加えてヘッドカバー４の内側の幅が狭くなって転写ヘッド３との干渉のおそれが考えられることなどから、ヘッドカバー４は２つに分割されているのが望ましいと思われる。
【０１１２】
また、以上説明した実施の形態においては、ヘッドカバー４はケース本体１の先端下部に取り付けられているが、先端上部に取り付けられていてもよい。この場合であっても、開放位置で保持されているヘッドカバー４におけるケース本体１から上方への張出寸法は、分割されていないヘッドカバーと比較して小さくなるので、使用時において、転写ヘッド３の転写部が視認しやすくなる。また、ヘッドカバー４がケース本体１から下方へ張り出さないので、ヘッドカバー４と紙面との干渉は発生せず、結果として、転写時に邪魔にならない。
【０１１３】
さらに、ヘッドカバー４は、ケース本体１ではなく、例えば転写ヘッド３など、ケース本体１に収容された部材すなわち収容部材に取り付けられていてもよい。
【０１１４】
また、ヘッドカバー４は、複数に分割されたカバー体が展開状態となって開口部２を閉鎖して転写ヘッド３を覆い、これらのカバー体が重畳状態では開口部２を開放して転写ヘッド３を露出させるようになっている限り、一方のカバー体に他方のカバー体が連動して回動や摺動をしなくてもよい。つまり、それぞれのカバー体は個別に移動（回動、摺動など）するようになっていてもよい。
【０１１５】
さらに、複数のカバー体がケース本体１などに取り付けられて回動する構成において、相互に同一の支点で回動するようになっている必要はない。つまり、一つのカバー体と他のカバー体とが相互に異なる支点で回動するように取り付けられていてもよい。
【０１１６】
さらに、第２〜第５の変形例において、図２４〜図３９に示すように、支点Ｐと支点Ｐｃ，Ｐｄ，Ｐｅ，Ｐｆとは相互に異なる位置になっているが、同一の位置となっていてもよい。
【産業上の利用可能性】
【０１１７】
本発明の塗膜転写具は、粘着テープ、修正テープ、蛍光テープ、デコレーションテープなど様々な転写テープを装着して使用することが可能であり、特定の転写テープに限定されるものではない。
【符号の説明】
【０１１８】
１  ケース本体
１ａ  カバー軸支部
１ａｂ  第１の軸穴
１ａｃ  第２の軸穴
１ａｄ  係止突起
１ｂ  ケース側凸部
２  開口部
３  転写ヘッド（収容部材の一部）
３ａ  ヘッド本体部
３ｂ  ガイド片
４  ヘッドカバー
１１  第１のケース部
１２  第２のケース部
４１ａ〜４１ｊ  第１のカバー体
４１ａｂ  軸突起
４１ａｃ  カバー側凸部
４１ａｄ  係止部
４１ａｅ  突起部
４１ａｆ  係合片
４１ａｇ  突起
４２ａ〜４２ｊ  第２のカバー体
４２ａｂ  軸突起
４２ａｃ  係合片
４２ａｄ  ストッパ
Ｐ，Ｐｃ，Ｐｄ，Ｐｅ，Ｐｆ  支点
【図１】
2019209588.tif 000003
【図２】
2019209588.tif 000004
【図３】
2019209588.tif 000005
【図４】
2019209588.tif 000006
【図５】
2019209588.tif 000007
【図６】
2019209588.tif 000008
【図７】
2019209588.tif 000009
【図８】
2019209588.tif 000010
【図９】
2019209588.tif 000011
【図１０】
2019209588.tif 000012
【図１１】
2019209588.tif 000013
【図１２】
2019209588.tif 000014
【図１３】
2019209588.tif 000015
【図１４】
2019209588.tif 000016
【図１５】
2019209588.tif 000017
【図１６】
2019209588.tif 000018
【図１７】
2019209588.tif 000019
【図１８】
2019209588.tif 000020
【図１９】
2019209588.tif 000021
【図２０】
2019209588.tif 000022
【図２１】
2019209588.tif 000023
【図２２】
2019209588.tif 000024
【図２３】
2019209588.tif 000025
【図２４】
2019209588.tif 000026
【図２５】
2019209588.tif 000027
【図２６】
2019209588.tif 000028
【図２７】
2019209588.tif 000029
【図２８】
2019209588.tif 000030
【図２９】
2019209588.tif 000031
【図３０】
2019209588.tif 000032
【図３１】
2019209588.tif 000033
【図３２】
2019209588.tif 000034
【図３３】
2019209588.tif 000035
【図３４】
2019209588.tif 000036
【図３５】
2019209588.tif 000037
【図３６】
2019209588.tif 000038
【図３７】
2019209588.tif 000039
【図３８】
2019209588.tif 000040
【図３９】
2019209588.tif 000041
【図４０】
2019209588.tif 000042
【図４１】
2019209588.tif 000043
【図４２】
2019209588.tif 000044
【図４３】
2019209588.tif 000045
【図４４】
2019209588.tif 000046
【図４５】
2019209588.tif 000047
【図４６】
2019209588.tif 000048
【図４７】
2019209588.tif 000049
【図４８】
2019209588.tif 000050
【図４９】
2019209588.tif 000051
【図５０】
2019209588.tif 000052
【図５１】
2019209588.tif 000053
【図５２】
2019209588.tif 000054
【図５３】
2019209588.tif 000055
【図５４】
2019209588.tif 000056
【図５５】
2019209588.tif 000057